(57)【要約】【課題】被写体とストロボ光との色温度を合わせてバランスの良い、雰囲気のある写真を撮影できるレンズ付きフイルムユニットを提供する。【解決手段】ストロボ放電管３７から放射されたストロボ光は、ストロボ発光部７外に照射される。このストロボ光の一部であるストロボ光４０は、赤色のプラスチックで成形された減光板１９に照射される。このストロボ光４０は、赤色光のみが反射され、その他の色の光は減光板１９にて吸収される。赤色光であるストロボ反射光４１は、発光部７のリフレクタ３８で反射されて再びストロボ発光部７外に照射される。これにより、ストロボ光は赤味を帯び、色温度が低くなり、ストロボ光と被写体の色温度が合う。【選択図】　　　　図４
2004061538.tif 000002
【特許請求の範囲】
【請求項１】
各種撮影機構を備えるとともに、通常ストロボ発光モードと、ストロボの減光発光を行う減光発光モードとの切替えが可能で、前記通常ストロボ発光モード時には、ストロボ発光部の前方から退避する位置に配置され、前記減光発光モード時には、被写体に向けて照射されるストロボ光を減光するために前記ストロボ発光部の前方に配置される減光板を備えるレンズ付きフイルムユニットにおいて、
前記減光板は、有彩色に着色されたプラスチックで成形されており、前記ストロボ発光部から照射されたストロボ光を反射することにより、ストロボ光の色温度を変化させることを特徴とするレンズ付きフイルムユニット。
【請求項２】
各種撮影機構を備えるとともに、通常ストロボ発光モードと、ストロボの減光発光を行う減光発光モードとの切替えが可能で、前記通常ストロボ発光モード時には、ストロボ発光部の前方から退避する位置に配置され、前記減光発光モード時には、被写体に向けて照射されるストロボ光を減光するために前記ストロボ発光部の前方に配置される減光板を備えるレンズ付きフイルムユニットにおいて、
前記減光板は、波長選択性を有する透過型フィルタであり、前記ストロボ発光部から照射されたストロボ光の色の一部をカットすることにより、ストロボ光の色温度を変化させることを特徴とするレンズ付きフイルムユニット。
【請求項３】
前記通常ストロボ発光モード時のストロボ光の色温度をＫ１　、前記減光発光モード時のストロボ光の色温度をＫ２　としたときに、
５２００°Ｋ≦Ｋ１　≦５８００°Ｋ
Ｋ２　≦Ｋ１　
を満たすことを特徴とする請求項１または請求項２記載のレンズ付きフイルムユニット。
【請求項４】
前記通常ストロボ発光モード時のストロボ光の色温度をＫ１　、前記減光発光モード時のストロボ光の色温度をＫ２　としたときに、
５２００°Ｋ≦Ｋ１　≦５８００°Ｋ
２０００°Ｋ≦Ｋ２　≦５０００°Ｋ
を満たすことを特徴とする請求項１または請求項２記載のレンズ付きフイルムユニット。
【発明の詳細な説明】
【０００１】
【発明の属する技術分野】
本発明は、レンズ付きフイルムユニットに関し、更に詳しくは、ストロボ光を減光する減光板を有するレンズ付きフイルムユニットに関するものである。
【０００２】
【従来の技術】
製造時に写真フイルムが装填されたレンズ付きフイルムユニットが各種販売されている。初期のレンズ付きフイルムユニットは、絞りやシャッタ速度が固定であった。そのため、光量の少ない暗い場所で撮影を行うと、主要な被写体はストロボ光によって適正に露出されるが、周辺光の取り込み量が少ないため背景は撮影されなかった。また、ユーザーによるレンズ付きフイルムユニットへの要望として、夜間にライトアップされた建物やイルミネーション等の夜景撮影への対応があった。
【０００３】
上記要望に応えるために、手動の切り替え操作によって絞りとストロボ光量とを切り替えられるようにし、大絞り状態でストロボの減光発光を行う夜間撮影モードを備えたレンズ付きフイルムユニット（特開２０００−１６２７３８号）が発明されている。
【０００４】
【発明が解決しようとする課題】
しかしながら、特開２０００−１６２７３８号記載のレンズ付きフイルムユニットは、ストロボの減光発光を行うために、ストロボ発光部の前方に減光板を配置している。ところが、この減光板は無彩色のプラスチックで成形されており、ストロボ光の減光のみで、ストロボ光の色温度は変換されない。通常、ストロボは日中の太陽光に色温度を合わせているため色温度は５２００°Ｋ〜５８００°Ｋに設定されている。また、夕景の色温度は略４０００°Ｋであり、室内（電球照明）の色温度は、略３０００°Ｋであるため、夕景撮影や室内撮影を行う場合、被写体とストロボ光との色温度が合わないために、色のバランスが良い、雰囲気のある写真を撮ることができなかった。
【０００５】
本発明は、上記問題点を解決するためのもので、減光板によりストロボ光の色温度を変換して、バランスの取れた、雰囲気のある写真を撮ることが可能なレンズ付きフイルムユニットを提供することを目的とする。
【０００６】
【課題を解決するための手段】
上記問題点を解決するために、本発明のレンズ付きフイルムユニットは、減光板を有彩色に着色されたプラスチックで成形し、ストロボ発光部から照射されたストロボ光を反射することにより、ストロボ光の色温度を変化させることを特徴とするものである。
【０００７】
また、本発明のレンズ付きフイルムユニットは、減光板を波長選択性を有する透過型フィルタで成形して、ストロボ発光部から照射されたストロボ光の色の一部をカットすることにより、ストロボ光の色温度を変化させることを特徴とするものである。
【０００８】
さらに、通常ストロボ発光モード時のストロボ光の色温度をＫ１　、減光発光モード時のストロボ光の色温度をＫ２　としたときに、５２００°Ｋ≦Ｋ１　≦５８００°Ｋ，Ｋ２　≦Ｋ１　を満たすことを特徴とするものである。
【０００９】
また、通常ストロボ発光モード時のストロボ光の色温度をＫ１　、減光発光モード時のストロボ光の色温度をＫ２　としたときに、５２００°Ｋ≦Ｋ１　≦５８００°Ｋ，２０００°Ｋ≦Ｋ２　≦５０００°Ｋを満たすことを特徴とするものである。
【００１０】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１１】
ユニット本体３の前面には、撮影レンズ５，ファインダ６，ストロボ光を被写体に向けて照射するストロボ発光部７，撮影モード選択部８等が設けれている。ユニット本体３の上面には、シャッタボタン９，カウンタ表示窓１０，シグナル部材１１等が設けられている。ユニット本体３の背面からは、撮影後のフイルム巻き上げに用いられる巻上げノブ１２の一部が露呈されている。
【００１２】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、第１操作位置から上方に向けてスライドされた第２操作位置と、第２操作位置から時計方向に回動された第３操作位置（図１の状態）との間で移動自在とされている。
【００１３】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。この時、通常ストロボ発光を行う。
【００１４】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光板１９が配置され、被写体に向けて照射されるストロボ光の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００１５】
図２は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００１６】
本体基部２３の前面中央には、遮光筒３５が設けられている。この遮光筒３５の周囲には、シャッタチャージ機構、シャッタレリーズ機構、フイルム巻上げ機構、フイルム巻止機構、フイルムカウント機構、絞り切替機構、シャッタ速度切替機構、撮影光学系、ファインダ光学系等が組み込まれている。
【００１７】
本発明のレンズ付きフイルムユニット２は、前述したように、操作部材１５が第２操作位置及び第３操作位置にセットされた時に、ストロボ発光を行う。このため、モード切替機構２５が、操作部材１５の移動に連動してストロボユニット２４の充電スイッチのＯＮ／　ＯＦＦの切替えを行う。
【００１８】
さらに、モード切替機構２５は、操作部材１５が第２操作位置から第３操作位置に回動された時に、減光板１９をストロボ発光部７の前方に配置させ、さらに、指標板２０をファインダ６の前方に配置させる。また、この時、モード切替機構２５は、絞り切替機構、シャッタ速度切替機構を切替えて、大絞り及び低速シャッタに設定する。
【００１９】
図３は、ストロボユニット２４を示す外観斜視図である。ストロボユニット２４は、回路基板２９，ストロボ発光部７，乾電池３０とからなる。回路基板２９には、固定接片３１ａと弾性接片３１ｂとからなる充電スイッチ３１が設けられており、モード切替機構２５により弾性接片３１ｂが押圧されて固定接片３１ａに接触することにより、充電スイッチがＯＮになる。
【００２０】
回路基板２９の下部には、正極接片３２ａと負極接片３２ｂとからなる電池ホルダ３２が設けられ、ストロボユニット２４の電源を成す乾電池３０が取り付けられる。また、回路基板２９の背面上部には、充電用のコンデンサ３３が設けられ、規定レベルまで充電されると、回路基板２９に組み込まれたＬＥＤ３４が点灯する。
【００２１】
なお、回路基板２９の端部には、撮影機構のシャッタ羽根（図示せず）の動作に連動して開閉するシンクロスイッチ３５が設けられ、ＬＥＤ３４点灯時（ストロボ充電完了時）にシャッタレリーズが行われると、シャッタ羽根が開放した瞬間にシンクロスイッチ３５がＯＮしてストロボ発光部７から被写体に向けてストロボ光が照射される。このストロボ光は、日中の太陽光に色温度を合わせて５５００°Ｋ±３００Ｋに設定されている。
【００２２】
また、ストロボ発光部７は、回路基板２９に爪止めされているリフレクタケース３６の内部に、ストロボ光源となるストロボ放電管３７とこれを取り巻くリフレクタ３８が設けられ、その前面に、透明なプラスチックで成形されたプロテクタ３９が取り付けられる。
【００２３】
このストロボ発光部７の前方には、前述したように、操作部材１５が第３操作位置にセットされた時に減光板１９が配置される。この減光板１９は、有彩色である赤色のプラスチックで形成されている。光は、物体に照射された際に、その物体と同じ色の光のみ反射し、その他の色の光を吸収することが知られている。つまり、この減光板１９は、赤色光のみを反射して、その他の色の光を吸収する。
【００２４】
次に、この減光板１９の作用について説明を行う。図４は減光板１９とストロボ発光部７の側面断面図である。ストロボ放電管３７から放射されたストロボ光は、プロテクタ３９を透過してストロボ発光部７外に照射される。このストロボ光は、減光板１９の上方または下方では、そのまま被写体に向けて照射される。その他のストロボ光４０は、減光板１９に照射される。減光板１９に照射されたストロボ光４０は、減光板１９と同じ色である赤色光のみ反射する。その他の色の光は、減光板１９にて吸収されて減光される。また、減光板１９にて反射されたストロボ反射光４１は、プロテクタ３９を透過して、リフレクタ３８内で反射されて再びプロテクタ３９を透過してストロボ発光部７外に照射される。
【００２５】
その後、この動作が繰り返されることにより、被写体に向けてのストロボ光の照射が完了する。光の色温度は低くなれば赤味が強くなり、反対に高くなれば青みが強くなることが知られている。そのため、赤色光であるストロボ反射光４１によりストロボ光は赤みが強くなって色温度が低くなる。これにより、ストロボ光の色温度は、略４０００°Ｋになる。
【００２６】
以下の表１は、光源である、晴空光、曇光、正午の太陽光と天空、正午の太陽光（平均）、日出没２時間、日出没１時間半、日出没４０分、日出没３０分、日出没時、写真電球、１００Ｗ電球、及びローソクの色温度を示す表である。
【００２７】
【表１】
2004061538.tif 000003
【００２８】
表１から分かるように、日出後１時間半、日没前１時間半では、色温度は略４０００°Ｋである。また、１００Ｗ電球では、色温度は２８００°Ｋである。つまり、夕景の色温度は、略４０００°Ｋ、室内（電球照明）の色温度は、略３０００°Ｋである。
【００２９】
本発明のレンズ付きフイルムユニット２の第３撮影モード（夜間シンクロ撮影モード）においては、露光量が増加されてストロボの減光発光を行うので、夕景撮影や室内撮影に適している。このため、夕景撮影時や室内撮影時に選択される。また、前述したように、減光板１９によりストロボ光の色温度が略４０００°Ｋに設定されているので、被写体とストロボ光の色温度が合い、色のバランスが良い、雰囲気のある写真を撮ることができる。
【００３０】
図５は、減光板１９の変形例である減光板５０とストロボ発光部７の側面断面図を示している。減光板５０は、透過型色温度変換フィルタであり、プロテクタ３９の前面を覆う形状をしている。この減光板５０は、ストロボ光４０の青色光を吸収して、その他の光をそのまま透過するという特性を持っている。このため、ストロボ光４０は、青色光のみを減光するので赤味がかった光になる。つまり、この場合も減光板１９と同様に、色温度が低くなってストロボ光の色温度は略４０００°Ｋとなり、被写体とストロボ光の色温度が合い、色のバランスが良い、雰囲気のある写真を撮ることができる。
【００３１】
なお、本実施形態においては、夜間シンクロ撮影モードで減光発光する場合について説明を行ったが、これに限るものではなく、近接撮影が可能なレンズ付きフイルムユニットの減光板を、有彩色に着色されたプラスチックや透過型フィルタで成形して、ストロボ光の色温度を変化させても良い。
【００３２】
【実施例】
以下の表２は、次に記す２種類，４撮影モードのレンズ付きフイルムユニットの絞り値Ｆ，シャッタスピードＳ，フイルム感度ＩＳＯ，ストロボ発光状態，露出値ＥＶを比較したものである。
ＬＦ１：固定絞り及び固定シャッタ型レンズ付きフイルムユニット
ＬＦ２−１：本発明のレンズ付きフイルムユニットの第１撮影モード
ＬＦ２−２：本発明のレンズ付きフイルムユニットの第２撮影モード
ＬＦ２−３：本発明のレンズ付きフイルムユニットの第３撮影モード
【００３３】
【表２】
2004061538.tif 000004
【００３４】
表２から分かるように、ＥＶ１０．８のＬＦ１では、周辺光の取り込み量が少ないため、夜間ストロボ撮影時に主要な被写体の背景を撮影することができなかった。
【００３５】
このＬＦ１に対し、本願発明のＬＦ２では、露光オーバーを発生させることなく日中ストロボ撮影を行うことができる。また、夜間シンクロ撮影モードでは、ＥＶ６．４であるため、従来機種よりも暗い背景を撮影することができる。さらに、夜間シンクロ撮影モードでは、減光板によりストロボ光の色温度が低くされており、これらにより、被写体とストロボ光との色温度が一致してバランスの取れた雰囲気のある夕景写真や室内写真を撮ることが可能である。
【００３６】
【発明の効果】
以上説明したように、本発明のレンズ付きフイルムユニットによれば、減光板によりストロボ光の色温度が変換され、被写体とストロボ光との色温度が合い、色のバランスが良い、雰囲気のある写真を撮影することができる。また、従来の無彩色の減光板を使用する場合に比べて、有彩色のプラスチックで減光板を成形することにより、外観デザインも良くなる。
【図面の簡単な説明】
【図１】本発明のレンズ付きフイルムユニットの外観斜視図である。
【図２】本発明のレンズ付きフイルムユニットの構成を示す分解斜視図である。
【図３】ストロボユニットの構成を示す斜視図である。
【図４】減光板とストロボ発光部の側面断面図である。
【図５】変形例である減光板とストロボ発光部の側面断面図である。
【符号の説明】
２　レンズ付きフイルムユニット
３　ユニット本体
５　撮影レンズ
６　ファインダ
７　ストロボ発光部
８　撮影モード選択部
１９，５０　減光板
２０　指標板
２４　ストロボユニット
２５　モード切替機構
３６　リフレクタケース
３７　ストロボ放電管
３８　リフレクタ
３９　プロテクタ
４０　ストロボ光
４１　ストロボ反射光
【図１】
2004061538.tif 000005
【図２】
2004061538.tif 000006
【図３】
2004061538.tif 000007
【図４】
2004061538.tif 000008
【図５】
2004061538.tif 000009